(57)【要約】【課題】へら鮒釣りに代表されるレジャーに使用するハサミや針外し等の先端が鋭利な道具を円滑に出し入れすることができるレジャー用ポーチの提供。【解決手段】ポーチ本体３には、内壁面１２，１３，２２により道具収容室５が構成されている。内壁面２２には、先端が鋭利な和ばさみ２等が挿入保持されるポケット２３が設けられている。この内壁面２２のポケット２３の内側に対応する領域には、金属または樹脂からなる保護板２４が設けられている。和ばさみ２がポケット２３に挿入されるときに、和ばさみ２の先端が内壁面２２に突き刺さることが防止される。【選択図】図６
2007330174.tif 000002
【特許請求の範囲】
【請求項１】
道具収容室を区画する内壁面を備えたポーチ本体と、
上記内壁面に設けられ、先端が鋭利に形成されたレジャー用道具が挿入保持されるポケットと、
上記内壁面の少なくとも上記ポケットの内側に対応する領域に設けられ、上記レジャー用道具の先端が突き刺さることを防止する金属または樹脂からなる保護板とを有するレジャー用ポーチ。
【請求項２】
上記ポーチ本体は、上面に開口が設けられた器状の基部と、基部に設けられ、上記開口を開閉する蓋部とを有し、
上記ポケットは、上記蓋部の内壁面に設けられている請求項１に記載のレジャー用ポーチ。
【請求項３】
上記保護板は、上記蓋部の内壁面全体を覆うように設けられている請求項２に記載のレジャー用ポーチ。
【請求項４】
上記保護板は、可撓性を有する材料からなる請求項１から３のいずれかに記載のレジャー用ポーチ。
【請求項５】
上記蓋部は、上記開口を開放する開姿勢と上記開口を閉塞する閉姿勢との間で姿勢変化可能なように上記基部の上縁にヒンジ結合されており、
当該蓋部が開姿勢となったときに上記ポーチ本体の載置面に当接して当該蓋部の内壁面が露出した状態で当該蓋部を支持する脚部が当該蓋部の上面に設けられている請求項２から４のいずれかに記載のレジャー用ポーチ。
【請求項６】
上記脚部は、上記ポーチ本体の把手を兼ねている請求項５に記載のレジャー用ポーチ。
【請求項７】
上記基部は、当該基部の内部を複数の空間に区画する区画板を備えている請求項２から６のいずれかに記載のレジャー用ポーチ。
【請求項８】
上記区画板は、面ファスナーを介して上記基部の内壁面に着脱自在に取り付けられている請求項７に記載のレジャー用ポーチ。
【発明の詳細な説明】
【技術分野】
【０００１】
本発明は、釣り等のレジャー用に供されるレジャー用ポーチの構造に関するものである。
【背景技術】
【０００２】
魚釣りでは、釣人は、実釣中にさまざまな釣道具を使用する。例えばへら鮒釣りにおいては、釣人は、へら竿、竿掛け、玉網、道糸、ハリス、スイベル、針、ウキ、ウキ止めゴム、板錘、タナ取りゴム、ハサミ、針外し等の多くの釣道具を使用する。このように、へら鮒釣りで使用する釣道具は非常に多いので、釣人にとって、釣道具をまとめて収納しておくことができれば非常に便利である。そのため、従来から、へら鮒釣りに使用される釣道具を収納するためのものとして、竿ケース、小物入れ（ポーチ）、バッグ（一般に、「へらバッグ」と称される。）が提供されている（例えば、特許文献１、非特許文献１参照）。
【０００３】
竿ケースにはへら竿が収納され、ポーチには道糸、ハリス、スイベル、針、ハサミ、針外し等の小物類が収納され、へらバッグには、竿掛け、玉網、ウキ、上記ポーチ等が収納される。従来のポーチは、釣道具を整理して収納できるように内部がパーティションによって区画されていて、仕掛類の収納には便利である。
【０００４】
【特許文献１】特開２００６−３４４７９号公報
【非特許文献１】株式会社シマノ 2006 Fishing Tackle Catalogue（第２２１頁）
【発明の開示】
【発明が解決しようとする課題】
【０００５】
ところで、へら鮒釣りにおいては、実釣中に釣り糸や板錘をカットするためにハサミを頻繁に使用する。特に、板錘を細かくカットするために和ばさみが好適に使用される。また、へら鮒を釣り上げた際には針外しを使用する。そのため、ポーチは、釣人が実釣中にハサミや針外し等の先端が鋭利な釣道具を収納しやすく且つ取り出し易いものであることが好ましい。
【０００６】
しかしながら、ポーチは、一般にポリウレタン（ＰＵ）等の樹脂シートにより構成されていることから、先端が鋭利なハサミや針外しが乱雑に収納されると、ハサミや針外しの出し入れの際にその先端がポーチの内側に引っ掛かってしまうことがあり、そのため、従来のポーチは、釣人にとって必ずしも使い勝手の良いものではなかった。
【０００７】
そこで、本発明の目的は、へら鮒釣りに代表されるレジャーに使用するハサミや針外し等の先端が鋭利な道具を円滑に出し入れすることができるレジャー用ポーチを提供することである。
【課題を解決するための手段】
【０００８】
(1) 上記目的が達成されるため、本発明に係るレジャー用ポーチは、道具収容室を区画する内壁面を備えたポーチ本体と、上記内壁面に設けられ、先端が鋭利に形成されたレジャー用道具が挿入保持されるポケットと、上記内壁面の少なくとも上記ポケットの内側に対応する領域に設けられ、上記レジャー用道具の先端が突き刺さることを防止する金属または樹脂からなる保護板とを有している。
【０００９】
このレジャー用ポーチは、釣りで使用されるハサミ、特に和ばさみ、針外し、プライヤー、カッター等の先端が鋭利な道具その他のレジャー用道具を収容することができる。レジャー用道具は、ポーチ本体の内壁面に設けられたポケットに収容される。典型的には、レジャー用道具は、その先端から上記ポケットに挿入され、上記内壁面に沿って保持される。一方、このレジャー用道具が使用されるときは、上記ポケットから引き抜かれる。上記ポケットの内側に対応する領域に保護板が設けられているから、例えば先端が特に鋭利な和ばさみ等が上記ポケットに収容されるときは、和ばさみの先端が保護板に摺接されつつ上記ポケットに挿入される。これにより、レジャー用道具の先端がポーチ本体の内壁面に引っ掛かることなく、円滑にポケットに収容される。
【００１０】
(2) 上記ポーチ本体は、上面に開口が設けられた器状の基部と、基部に設けられ、上記開口を開閉する蓋部とを有し、上記ポケットは、上記蓋部の内壁面に設けられていることが好ましい。
【００１１】
レジャー用道具の使用者は、基部の開口を開放するために蓋部を開く。これにより、蓋部の内壁面が露出されるので、使用者にとってレジャー用道具を収納しやすく、取り出しやすい。
【００１２】
(3) 上記保護板は、上記蓋部の内壁面全体を覆うように設けられていることが好ましい。
【００１３】
蓋部の内壁面全体が保護板に覆われているので、使用者が和ばさみ等を収納する際に、その先端の位置を注意深く確認する必要がない。したがって、レジャー用道具をより円滑に出し入れすることができる。
【００１４】
(4) 上記保護板は、可撓性を有する材料からなることが好ましい。
【００１５】
レジャー用道具を出し入れする際に保護板が変形するので、レジャー用道具の出し入れが一層容易になる。
【００１６】
(5) 上記蓋部は、上記開口を開放する開姿勢と上記開口を閉塞する閉姿勢との間で姿勢変化可能なように上記基部の上縁にヒンジ結合されており、当該蓋部が開姿勢となったときに上記ポーチ本体の載置面に当接して当該蓋部の内壁面が露出した状態で当該蓋部を支持する脚部が当該蓋部の上面に設けられていてもよい。
【００１７】
蓋部が基部に対してヒンジ結合された部分を中心に回動する構成であるので、蓋部の開閉が容易である。また、蓋部が脚部に支えられるので、蓋部の内壁面が安定して露出する。したがって、レジャー用道具の出し入れがなお一層容易になる。
【００１８】
(6) 上記脚部は、上記ポーチ本体の把手を兼ねていることが好ましい。
【００１９】
蓋部の上面に把手を別途設ける必要がない。また、使用者は、レジャー用ポーチを容易に持ち運ぶことができる。
【００２０】
(7) 上記基部は、当該基部の内部を複数の空間に区画する区画板を備えているものであってもよい。
【００２１】
基部の内部が区画板により複数の空間に区画されているので、使用者は、基部に種々の道具を分類して収納できる。
【００２２】
(8) 上記区画板は、面ファスナーを介して上記基部の内壁面に着脱自在に取り付けられていることが好ましい。
【００２３】
区画板が面ファスナーを介して基部の内壁面に対して着脱自在であるので、区画板により区画される空間の大きさを調整することができる。すなわち、区画板により区画される空間の大きさを、基部の内部に収容される道具のサイズに合わせることができる。そのため、基部の内部により多くの道具を効率的に収容することができる。
【発明の効果】
【００２４】
本発明によれば、ポーチ本体の内壁面の少なくともポケットの内側に対応する領域に保護板が設けられているので、レジャー用道具がポケットに収容されるときにレジャー用道具の先端がポーチ本体の内壁面に引っ掛かることがない。また、ポケットに収容されたレジャー用道具は、ポケットから容易に引き抜かれる。そのため、へら鮒釣り等で好適に使用される和ばさみ等の先端が鋭利なレジャー用道具を円滑に出し入れすることができる。
【発明を実施するための最良の形態】
【００２５】
以下、適宜図面が参照されつつ、好ましい実施形態に基づいて本発明が詳細に説明される。なお、以下の実施形態は本発明が具体化された一例にすぎず、本発明の要旨を変更しない範囲で、実施形態が適宜変更され得ることは勿論である。
【００２６】
図１は、本発明の一実施形態に係るレジャー用ポーチ１の正面側の外観斜視図である。図２は、レジャー用ポーチ１の背面側の外観斜視図である。
【００２７】
レジャー用ポーチ１は、特に魚釣り等のレジャーの用に供される。レジャー用ポーチ１は、魚釣りの際に釣人が使用する。レジャー用ポーチ１は、実釣中に必要なさまざまな釣道具を収容する。釣人は、例えばへら鮒釣りに際して、レジャー用ポーチ１に道糸、ハリス、スイベル、針、和ばさみ、針外し等の小物類を収容する。本実施形態に係るレジャー用ポーチ１の特徴とするところは、レジャー用ポーチ１を構成する蓋部２１の内壁面２２（図３参照）に和ばさみ２（先端が鋭利に形成されたレジャー用道具の一例）を収納するためのポケット２３が設けられ、且つ、ポケット２３の内側に対応する領域に保護板２４が設けられており、これにより、釣人は、和ばさみ２を円滑に出し入れすることができるようになっている点である（図６参照）。
【００２８】
図３は、ポーチ本体３の内部構造を示す平面図である。図４は、蓋部２１が開姿勢に姿勢変化されたポーチ本体３の側面図である。
【００２９】
レジャー用ポーチ１のポーチ本体３は、図１〜図４に示されるように、上面に開口が設けられた器状の基部１１と、基部１１に設けられて基部１１の開口を開閉する蓋部２１とを有している。図３に示されるように、基部１１は内壁面１２，１３を備え、蓋部２１は内壁面２２を備えており、これら内壁面１２，１３，２２により道具収容室５が区画されている。なお、図１及び図２には、蓋部２１により基部１１の開口が閉じられた状態が示されており、図３及び図４には、蓋部２１により基部１１の開口が開かれた状態が示されている。
【００３０】
基部１１は、樹脂（典型的にはポリウレタン）により成形された薄肉シートからなる。図３に示されるように、基部１１の内部における底面に相当する内壁面１２には、例えば発泡ポリエチレンからなる平板状の底板１４が設けられている。基部１１の内部における側面に相当する内壁面１３には、底板１４と同様に発泡ポリエチレン等からなる側板１５が設けられている。側板１５は、上下に開口を有する筒状に形成されている。基部１１は、内壁面１１，１２に底板１４及び側板１５が設けられることにより水平断面が略楕円形状の器状に形成されている。なお、基部１１の形状はこれに限定されるものではなく、例えば角形に形成されたものであってもよい。
【００３１】
蓋部２１は、樹脂（典型的にはポリウレタン）により成形された薄肉シートからなる。蓋部２１の下面に相当する内壁面２２には、平板状の保護板２４が設けられている。この保護板２４は、内壁面２２全体を覆うように配置されている。蓋部２１は、内壁面２２に保護板２４が設けられることにより下面に開口を有する浅いトレイ状に形成されている。
【００３２】
基部１１は、背面側に上縁５０を備えている。蓋部２１は、背面側に下縁５１を備えている。基部１１の上縁５０と蓋部２１の下縁５１とは連結されている。具体的には、図２及び図４に示されるように、基部１１の背面側と蓋部２１の背面側とにわたって連結帯５２が縫い付けられている。この連結帯５２は、例えばポリウレタンからなる薄肉シートにより構成されている。また、図３及び図４に示されるように、基部１１の内側および蓋部２１の内側に連結帯５３が縫い付けられている。この連結帯５３は、上記内壁面１３と蓋部２１の内側面との間に架け渡すように配置されている。連結帯５３は、例えばナイロンからなる薄肉シートにより構成されている。すなわち、基部１１の上縁５０と蓋部２１の下縁５１とは、連結帯５２により外側から連結され、且つ、連結帯５３により内側から連結されている。これら連結帯５２，５３はヒンジを構成しており、蓋部２１は基部１１に対して回動自在となっている。換言すれば、蓋部２１は基部１１の上縁５０にヒンジ結合されており、基部１１の開口を開放する開姿勢（図３及び図４参照）と、基部１１の開口を閉塞する閉姿勢（図１及び図２参照）との間で姿勢変化可能となっている。
【００３３】
また、図１に示されるように、基部１１の上縁５４及び側縁５５，５６、並びに蓋部２１の下縁５７及び側縁５８，５９に沿ってファスナー６０が設けられている。このファスナー６０が操作されることによって、基部１１の上縁５４及び蓋部２１の下縁５７、基部１１の側縁５５及び蓋部２１の側縁５８、並びに基部１１の側縁５６及び蓋部２１の側縁５９がそれぞれ連結され、また連結が解除される。すなわち、基部１１の上縁５４及び側縁５５，５６並びに蓋部２１の下縁５７及び側縁５８，５９によってポーチ本体３の開口縁部が構成されており、この開口縁部にファスナー６０が設けられている。そして、このファスナー６０が開かれることによって蓋部２１が基部１１に対して回動可能となり、ポーチ本体３の開口が開閉される。このファスナー６０が設けられているので、釣人は、基部１１の開口を確実且つ容易に開閉することができる。
【００３４】
図１、図２及び図４に示されるように、蓋部２１の上面６３には、脚部６２が設けられている。脚部６２は、細長帯状に形成されたシート部材により構成されている。本実施形態では、脚部６２は、２枚のシート部材が重ね合わされて構成されている。各シート部材は、樹脂（典型的にはポリウレタン）からなる。脚部６２は、蓋部２１の両端部に架け渡すように配置されている。具体的には、脚部６２は、蓋部２１の上面６３から上方に突出するようにアーチ状に湾曲されており、脚部６２の両端は、図１が示すように蓋部２１の上面６３の端部（正面から見て幅方向の端部）に縫い付けられている。この脚部６２は、蓋部２１が開姿勢となったときにポーチ本体３の載置面８に当接する。これにより、蓋部２１は、内壁面２２が露出した状態で支持される（図４参照）。脚部６２は、上記のように複数のシート部材を重ねて構成したものであるので、蓋部２１の開姿勢において内壁面２２に対して上方から多少の荷重が加えられたとしても容易に撓むことはない。そのため、蓋部２１の開姿勢においては、蓋部２１が脚部６２に支えられて蓋部２１の内壁面２２が露出し、基部１１の内部及び蓋部２１の内壁面２２が共に開放される。なお、図３は、このようにして蓋部２１が開姿勢にされた状態のポーチ本体３を示したものである。
【００３５】
基部１１は、図３に示されるように、２つの区画板３１を備えている。区画板３１は、基部１１の内部を複数の空間に区画するものである。区画板３１は、区画板本体３３と、その両端に略Ｌ字型に曲折可能に設けられた取付部３４，３５とを有する。区画板本体３３は、基部１１の高さと略同じ幅を有し、且つ、基部１１の奥行き方向の長さと略同じ長さを有する平板状のものである。取付部３４，３５は、基部１１の内壁面１３に接続される部分である。
【００３６】
区画板３１は、本実施形態においては、面ファスナー３６，３７を介して基部１１の内壁面１３に着脱自在に取り付けられている。面ファスナー３６は、フックテープ３８とループテープ３９とを備えている。ここでは、フックテープ３８が区画板３１の取付部３４に設けられ、ループテープ３９が基部１１の手前側の内壁面１３に設けられている。また、面ファスナー３７は、フックテープ４０とループテープ４１とを備えている。ここでは、フックテープ４０が区画板３１の取付部３５に設けられ、ループテープ４１が基部１１の奥側の内壁面１３に設けられている。
【００３７】
取付部３４に設けられたフックテープ３８が内壁面１３のループテープ３９に押し付けられ、取付部３５に設けられたフックテープ４０が内壁面１３のループテープ４１に押し付けられることによって、区画板３１は、簡単且つ確実に基部１１の内壁面１３に保持される。また、釣人は、取付部３４，３５を引っ張ることによって、簡単に区画板３１を基部１１から取り外すことができる。
【００３８】
なお、本実施形態においては、基部１１の内壁面１３に２つの区画板３１が着脱自在に取り付けられているが、区画板３１の数はこれに限定されるものではない。すなわち、１つの区画板３１を取り付けて基部１１の内部を２つに区切ったり、或いは、３つ以上の区画板３１を取り付けて基部１１の内部を４つ以上の空間に区切るようにしてもよい。また、区画板３１を必ずしも着脱自在にする必要はなく、区画板３１は内壁面１３に固定されていてもよい。ただし、基部１１の内部に種々の道具を効率的に収納するためには、区画板３１を着脱自在に取り付けるのが好適である。また、区画板３１を取り付けないようにしてもよい。
【００３９】
図５は、和ばさみ２が収容されていない状態のポケット２３を示す斜視図である。図６は、和ばさみ２が収容された状態のポケット２３を示す斜視図である。
【００４０】
図３、図５及び図６に示されるように、蓋部２１の内壁面２２には、ポケット２３が設けられている。内壁面２２に設けられるポケット２３の数は特に限定されるものではないが、本実施形態においては内壁面２２に４つのポケット２３が設けられている。これら４つのポケット２３は、蓋部２１の中央に向けて開口２６を有している。ポケット２３は、先端が鋭利に形成されたレジャー用道具が挿入保持されるものであり、例えばへら鮒釣りで好適に使用される和ばさみ２が開口２６を通して先端側からポケット２３に挿入され、該ポケット２３に保持される（図６参照）。
【００４１】
また、蓋部２１の内壁面２２に保護板２４が設けられている。この保護板２４は、本実施形態では、独立気泡の発泡樹脂（典型的には、発泡ポリエチレン）からなる薄肉平板が採用されている。この保護板２４は、弾性変形が可能であり、可撓性を備えている。この保護板２４は、上記内壁面２２と略同様の形状に形成されており、上記ポケット２３の内側のみならず、当該内壁面２２の全体を覆っている。この保護板２４は、上記ポケット２３に対して出し入れされる和ばさみ２等のレジャー用道具の先端が内壁面２２に突き刺さることを防止するものである。
【００４２】
上記のように構成されたレジャー用ポーチ１は、釣りで使用されるハサミ、特に和ばさみ２、針外し、プライヤー、カッター等の先端が鋭利な道具その他のレジャー用道具を収容することができる。レジャー用道具は、ポーチ本体３の内壁面（本実施形態においては内壁面２２）に設けられたポケット２３に収容される。典型的には、レジャー用道具は、その先端からポケット２３に挿入され、内壁面２２に沿って保持される。一方、このレジャー用道具が使用されるときは、ポケット２３から引き抜かれる。
【００４３】
図７は、保護板２４が設けられていない状態でポケット２３に和ばさみ２が挿入される様子を説明するための模式図である。図８は、保護板２４が設けられた状態でポケット２３に和ばさみ２が挿入される様子を説明するための模式図である。
【００４４】
ポケット２３に挿入される和ばさみ２は、その先端が後端よりも下になるように傾斜してポケット２３の開口２６へ向けて移動される（図７（ａ）参照）。移動された和ばさみ２は、その先端が内壁面２２に当接する（図７（ｂ）参照）。和ばさみ２は先端が鋭利に形成されており、内壁面２２を有する蓋部２１はポリウレタンにより成形された薄肉シートからなるので、和ばさみ２がさらに移動されるとその先端が内壁面２２に突き刺さってしまう（図７（ｃ）参照）。そのため、和ばさみ２の先端が内壁面２２に引っ掛かり、和ばさみ２をポケット２３に正しく挿入することができない。また、和ばさみ２の先端により内壁面２２が何度も傷つけられると、蓋部２１に穴をあけてしまうおそれがある。
【００４５】
これに対し、本実施形態に係るレジャー用ポーチ１には、上記説明したように、ポケット２３の内側に対応する領域に保護板２４が設けられている。ポケット２３に収容すべく移動された和ばさみ２は、その先端が保護板２４に当接する（図８（ａ）参照）。この状態から和ばさみ２がさらに挿入されると、保護板２４が独立気泡の発泡ポリエチレンからなるので、和ばさみ２の先端が保護板２４に摺接されつつポケット２３に挿入される（図８（ｂ）、（ｃ）参照）。これにより、和ばさみ２は、その先端がポーチ本体３の内壁面２２に引っ掛かることなく円滑にポケット２３に収容され、内壁面２２に沿って保持される（図８（ｄ）参照）。一方、この和ばさみ２が使用されるときは、ポケット２３から引き抜かれる。
【００４６】
このように、ポケット２３の内側に対応する領域に保護板２４が設けられているので、へら鮒釣りに代表されるレジャーに使用するハサミや針外し等の先端が鋭利な道具を円滑に出し入れすることができる。なお、保護板２４は可撓性を有する材料である発泡ポリエチレンからなるものである。そのため、ポケット２３に対してレジャー用道具を出し入れする際に保護板２４が変形するので、レジャー用道具の出し入れは一層容易になる。また、本実施形態では、保護板２４が蓋部２１の内壁面２２全体を覆うように設けられているので、釣人が和ばさみ２等を収納する際に、その先端の位置を注意深く確認する必要がない。したがって、レジャー用道具をより円滑に出し入れすることができる。
【００４７】
また、基部１１には、先端が鋭利に形成されていないその他の道具も収納される。この基部１１の内部は、図３に示されるように２つの区画板３１により３つの空間に区画されているので、基部１１に例えば道糸、ハリス、スイベル、針等の他の道具を整理して収納できる。なお、区画板３１は面ファスナー３６，３７を介して基部１１の内壁面１３に対して着脱自在であるので、区画板３１により区画される空間の大きさを調整することができる。すなわち、区画板３１により区画される空間の大きさを、収容される他の道具のサイズに合わせることができる。そのため、基部１１の内部により多くの他の道具を効率的に収容することができる。
【００４８】
さらに、本実施形態に係るレジャー用ポーチ１では、釣人は、レジャー用道具を出し入れする場合に、ファスナー６０を操作して蓋部２１を開く。これにより、蓋部２１の内壁面２２が露出されるので、釣人にとってレジャー用道具を収納しやすく、取り出しやすい。なお、ポーチ本体３は、連結帯５２，５３によりヒンジ結合された部分を中心にして、蓋部２１が基部１１に対して回動する構成であるので、蓋部２１の開閉が容易である。また、図４が示すように、蓋部２１が開かれると、当該蓋部２１は脚部６２に支持されるので、蓋部２１の内壁面２２が露出する。これにより、レジャー用道具の出し入れが極めて容易である。また、脚部６２はポーチ本体３の把手を兼ねている。そのため、釣人は、ファスナー６０を操作して基部１１と蓋部２１を連結した状態（図１に示す状態）で、脚部６２を掴んでレジャー用ポーチ１を容易に持ち運ぶことができる。
【００４９】
なお、本発明は、上記実施形態に限定されるものではなく、以下の形態であってもよい。
【００５０】
保護板２４は、ポーチ本体３の内壁面２２の少なくともポケット２３の内側に対応する領域に設けられていれば、必ずしも内壁面２２全体を覆うように設ける必要はない。ただし、保護板２４を内壁面２２全体を覆うように設けた場合、釣人が和ばさみ２等を収納する際に、その先端の位置を注意深く確認する必要がなく、レジャー用道具を円滑に出し入れすることができるので、保護板２４は内壁面２２全体を覆うように設けることが好ましい。
【００５１】
図９は、他の実施形態に係るポーチ本体３の内部構造を示す平面図である。この実施形態では、上記保護板２４に代えて２枚の保護板２８ａ，２８ｂが設けられている。各保護板２８ａ，２８ｂは、細長矩形の短冊状に形成されており、独立気泡の発泡樹脂（典型的には、発泡ポリエチレン）からなる。これら保護板２８ａ，２８ｂは、弾性変形が可能であり、可撓性を備えている。各保護板２８ａ，２８ｂは、それぞれ、ポケット２３ａ〜２３ｄに挿入されている。
【００５２】
同図において右側に配置された保護板２８ａは、上下方向に対向する一対のポケット２３ａ，２３ｂ間に架け渡すように配置されている。具体的には、保護板２８ａの一端部がポケット２３ａに挿入され、且つ保護板２８ａの他端部がポケット２３ｂに挿入されている。保護板２８ａは、可撓性を備えているから、一旦湾曲されることによって容易にポケット２３ａ，２３ｂに挿入され得る。これにより、ポーチ本体３の内壁面２２のうちポケット２３ａ，２３ｂの内側の領域及びポケット２３ａとポケット２３ｂとの間の領域は、保護板２８ａによって覆われる。保護板２８ｂも同様の要領でポケット２３ｃ，２３ｄに挿入されている。これにより、ポーチ本体３の内壁面２２のうちポケット２３ｃ，２３ｄの内側の領域及びポケット２３ｃとポケット２３ｄとの間の領域は、保護板２８ｂによって覆われる。
【００５３】
このように、保護板２８ａ，２８ｂは、それぞれ、ポケット２３ａ及びポケット２３ｂ並びにポケット２３ｃ及びポケット２３ｄによって安定的に支持される。保護板２８ａ，２８ｂは、内壁面２２に縫い付けられる必要はない。したがって、ポーチ本体３の組み立てが容易になると共に、保護板２８ａ，２８ｂが損傷を受けた場合には、当該保護板２８ａ，２８ｂのみが交換され得るという利点がある。
【００５４】
また、本実施形態では、ポケット２３は、蓋部２１の内壁面２２に設けられているが、ポケット２３は他の部分に設けられていてもよい。すなわち、ポケット２３は、基部１１の内壁面１２又は内壁面１３に設けられていてもよい。ただし、ポケット２３を内壁面１２に設けた場合にはポケット２３に収容されたレジャー用道具が取り出しにくくなる。また、ポケット２３を内壁面１３に設けた場合にはポケット２３の開口の向きによってはポーチ本体３の高さ又は幅を長くする必要がある。したがって、本実施形態において説明したようにポケット２３は内壁面２２に設けることが好ましい。
【００５５】
また、本実施形態においては、保護板２４，２８が可撓性を有するものである場合について説明したが、保護板２４，２８は必ずしも可撓性を有するものである必要はない。ただし、保護板２４，２８として可撓性を有するものを用いた場合、ポケット２３に対してレジャー用道具を出し入れする際に保護板２４，２８が変形するので、レジャー用道具の出し入れがさらに容易になる。したがって、保護板２４，２８は可撓性を有するものであることが望ましい。また、保護板２４，２８は、例えばアルミやステンレス等の金属であってもよい。ただし、金属製の保護板２４，２８を用いた場合、ポーチ本体３の重量が重くなるので、保護板２４，２８は樹脂で成形する方が好適である。
【００５６】
また、本実施形態においては、ポケット２３に収容される先端が鋭利に形成されたレジャー用道具が和ばさみ２である場合について主に説明したが、ポケット２３に収容されるレジャー用道具はこれに限定されるものではない。ポケット２３に収容されるレジャー用道具は、先端が鋭利に形成されたものであれば、例えば針外し、プライヤー、カッター、一般に使用されるハサミ等であってもよい。
【００５７】
また、本実施形態においては、ポーチ本体３が基部１１と基部１１の開口を開閉する蓋部２１とを有するものである形態について説明したが、本発明に係るポーチ本体は他の構造のものであってもよい。例えば、ポーチ本体は一対のトレイが二枚貝が開閉するように開閉される従来のポーチのような構造のものであってもよい。ポーチ本体がこのような構造のものである場合、少なくとも一方のトレイに上記保護板２４（又は保護板２８）とポケット２３を設ければよい。
【産業上の利用可能性】
【００５８】
本発明は、釣り等のレジャー用に供されるレジャー用ポーチに適用され得る。
【図面の簡単な説明】
【００５９】
【図１】図１は、本発明の一実施形態に係るレジャー用ポーチ１の正面側の外観斜視図である。
【図２】図２は、レジャー用ポーチ１の背面側の外観斜視図である。
【図３】図３は、レジャー用ポーチ１の内部構造を示す平面図である。
【図４】図４は、蓋部２１が開姿勢に姿勢変化されたポーチ本体３の側面図である。
【図５】図５は、和ばさみ２が収容されていない状態のポケット２３を示す斜視図である。
【図６】図６は、和ばさみ２が収容された状態のポケット２３を示す斜視図である。
【図７】図７は、保護板２４が設けられていない状態でポケット２３に和ばさみ２が挿入される様子を説明するための模式図である。
【図８】図８は、保護板２４が設けられた状態でポケット２３に和ばさみ２が挿入される様子を説明するための模式図である。
【図９】図９は、他の実施形態に係るポーチ本体３の内部構造を示す平面図である。
【符号の説明】
【００６０】
１・・・レジャー用ポーチ
３・・・ポーチ本体
５・・・道具収容室
８・・・載置面
１１・・・基部
１２，１３，２２・・・内壁面
２１・・・蓋部
２３，２３ａ，２３ｂ，２３ｃ，２３ｄ・・・ポケット
２４，２８ａ，２８ｂ・・・保護板
３１・・・区画板
３６，３７・・・面ファスナー
６２・・・脚部
６３・・・上面
【図１】
2007330174.tif 000003
【図２】
2007330174.tif 000004
【図３】
2007330174.tif 000005
【図４】
2007330174.tif 000006
【図５】
2007330174.tif 000007
【図６】
2007330174.tif 000008
【図７】
2007330174.tif 000009
【図８】
2007330174.tif 000010
【図９】
2007330174.tif 000011